(57)【要約】      （修正有）【課題】一方の眼の測定中、他方の眼の測定結果を表示し、かつ、自覚測定中、他覚測定による測定結果を表示可能な検眼装置を提供する。【解決手段】検眼装置は、観察系１２、固視標投影系１３、他覚式測定系１４、自覚式測定系１５、処理部９、表示部１０を備え、処理部９は、一方の眼の他覚測定を行ったときその測定結果の表示ステップ、その後他方の眼の測定中に、一方の眼の測定結果の表示ステップ、両眼測定終了後に他覚検査の両眼の測定結果の表示ステップと、その後の一方の眼の自覚測定の際に視標に対応する屈折度数Ｓ、円柱度数Ｃおよび軸角度Ａと他覚測定による両眼の測定結果との表示ステップと、その測定終了後他方の眼の測定中に、自覚測定による前記一方の眼の測定結果と他覚測定による両眼の測定結果との表示ステップと、両眼の測定終了後に自覚測定による両眼の測定結果の表示ステップとを実行する。【選択図】図３
2018064949.tif 000002
【特許請求の範囲】
【請求項１】
被検眼の前眼部を観察する観察系と、被検眼に固視標を提示する固視標投影系と、被検眼の眼底に測定パターンを投影しかつ被検眼の眼底に投影された測定パターンを受像する他覚式測定系と、被検眼に自覚式の視標を提示する自覚式測定系と、前記他覚式測定系による他覚測定と、前記自覚式測定系による自覚測定との処理を実行する処理部と、前記処理部に接続されて前記他覚測定による測定結果と前記自覚測定による測定結果とを表示する表示部とを備え、
前記処理部は、前記他覚測定による一方の眼の測定を行ったときに、前記一方の眼の測定結果を前記表示部の表示画面に表示する表示ステップと、
前記一方の眼の測定終了後他方の眼の測定中に、前記一方の眼の測定結果を前記表示画面に表示する表示ステップと、
両眼の測定終了後に前記表示画面に前記他覚測定による両眼の測定結果を表示する表示ステップと、
前記他覚測定による両眼の測定終了後に前記自覚測定による一方の眼の測定を行っているときに、前記自覚式測定系にセットされている視標に対応する屈折度数、円柱度数および軸角度と、前記他覚測定による両眼の測定結果と、を前記表示画面に表示する表示ステップと、
前記一方の眼の測定終了後他方の眼の測定中に、前記自覚測定による前記一方の眼の測定結果と、前記他覚測定による両眼の測定結果と、を前記表示画面に表示する表示ステップと、
両眼の測定終了後に前記表示画面に前記自覚測定による両眼の測定結果を表示する表示ステップと、を実行することを特徴とする検眼装置。
【請求項２】
前記処理部は、前記他覚測定による両眼の測定終了後に、前記他覚測定による両眼の測定結果と、前記自覚測定による両眼の測定結果と、を表示する表示ステップを実行することを特徴とする請求項１に記載の検眼装置。
【請求項３】
前記表示部は、前記他覚測定と前記自覚測定とを切り替える切り替えボタンを有し、
前記切り替えボタンにより前記他覚測定から前記自覚測定に切り替えられたときに、前記表示画面に、視力値を指定する複数個の指定ボタンが表示され、前記指定ボタンを操作すると、前記処理部は前記自覚式測定系に前記指定ボタンにより指定された視力値に対応する視標をセットすると共に前記指定ボタンにより指定された視力値を前記表示画面に表示させることを特徴とする請求項１または請求項２に記載の検眼装置。
【請求項４】
前記表示画面には、前記指定ボタンの操作により前記表示画面に表示されている視力値を確定する確定ボタンが設けられていることを特徴とする請求項３に記載の検眼装置。
【発明の詳細な説明】
【技術分野】
【０００１】
本発明は、他覚検査による測定と自覚検査による測定とを行うことが可能な検眼装置の改良に関する。
【背景技術】
【０００２】
従来から、検眼装置には、被検眼に測定パターンを投影して、被検眼に投影された測定パターンにより、他覚検査による測定を行うと共に、被検者に視標を提示して自覚検査による測定を行うものが知られている（例えば、特許文献１参照。）。
【０００３】
この種の装置では、検者は、前眼部像を表示画面上で観察しながら装置本体のアライメントを行い他覚検査を行った後、自覚検査を行っている。その他覚検査による測定結果としての測定値と、自覚検査による測定結果としての測定値とはその表示画面に表示される。
【先行技術文献】
【特許文献】
【０００４】
【特許文献１】特開平８−３１７９０４号公報
【発明の概要】
【発明が解決しようとする課題】
【０００５】
ところで、この種の装置では、他覚検査による測定と、自覚検査による測定とを行うことができるとはいっても、他覚検査による測定値は他覚検査の際にのみ表示され、自覚検査による測定値は自覚検査の際のみに表示され、他覚検査による測定値と自覚検査による測定値とは、表示画面に同時に表示されない。
【０００６】
このため、自覚検査を行った後に、再度、検者が他覚検査の測定結果を確認したい場合に不便である。
また、この種の装置では、他覚検査、自覚検査において、左眼の測定と右眼の測定とを別々に行っているが、左眼の測定のときには左眼の測定結果のみが表示画面に表示され、右眼の測定のときには右眼の測定結果のみが表示画面に表示される。
【０００７】
このため、左眼の測定と右眼の測定とのいずれか一方を先に行った後にいずれか他方の眼の測定を後から行う際に、その測定を先に行った方の眼の測定結果が表示されず、検者が測定中に先に検査を行った方の測定結果を確認したい場合、その測定結果が表示画面上に表示されないため不便である。
例えば、右眼の測定結果と左眼の測定結果とが大幅に異なる場合にこれを確認できず、不便である。
【０００８】
本発明は、上記の事情に鑑みて為されたもので、その目的は、他覚測定時の一方の眼の測定中に、他方の眼の測定結果を表示することができると共に、自覚測定中に、他覚測定による測定結果を表示することのできる検眼装置を提供することにある。
【課題を解決するための手段】
【０００９】
本発明に係る検眼装置は、被検眼の前眼部を観察する観察系と、被検眼に固視標を提示する固視標投影系と、被検眼の眼底に測定パターンを投影しかつ被検眼の眼底に投影された測定パターンを受像する他覚式測定系と、被検眼に自覚式の視標を提示する自覚式測定系と、前記他覚式測定系による他覚測定と、前記自覚式測定系による自覚測定との処理を実行する処理部と、前記処理部に接続されて前記他覚測定による測定結果と前記自覚測定による測定結果とを表示する表示部とを備えている。
【００１０】
前記処理部は、前記他覚測定による一方の眼の測定を行ったときに、前記一方の眼の測定結果を前記表示部の表示画面に表示する表示ステップと、前記一方の眼の測定終了後他方の眼の測定中に、前記一方の眼の測定結果を前記表示画面に表示する表示ステップと、両眼の測定終了後に前記表示画面に前記他覚測定による両眼の測定結果を表示する表示ステップと、前記他覚測定による両眼の測定終了後に前記自覚測定による一方の眼の測定を行っているときに、前記自覚式測定系にセットされている視標に対応する屈折度数、円柱度数および軸角度と、前記他覚測定による両眼の測定結果と、を前記表示画面に表示する表示ステップと、前記一方の眼の測定終了後他方の眼の測定中に、前記自覚測定による前記一方の眼の測定結果と、前記他覚測定による両眼の測定結果と、を前記表示画面に表示する表示ステップと、両眼の測定終了後に前記表示画面に前記自覚測定による両眼の測定結果を表示する表示ステップと、を実行することを特徴とする検眼装置。
【発明の効果】
【００１１】
本発明によれば、一方の眼の測定終了後他方の眼の測定中に、一方の眼の測定結果が表示画面に表示されているので、検者は他方の眼の測定中に検査をすでに行った方の眼の測定結果を随時確認でき便利である。
【００１２】
また、随時、表示画面に測定結果が表示されるので、検者の測定のし忘れを予防できる。
【図面の簡単な説明】
【００１３】
【図１】図１は本発明に係る検眼装置の全体構成を示す概略図である。
【図２】図２は本発明に係る検眼装置のシステム構成を示すブロック図である。
【図３】図３は本発明に係る光学系の説明図であって、前眼部観察系の光路の説明図である。
【図４】図４は本発明に係る光学系の説明図であって、他覚式測定系の測定パターンの投影光路の説明図である。
【図５】図５は本発明に係る光学系の説明図であって、他覚式測定系の測定パターンの受像光路の説明図である。
【図６】図６は本発明に係る光学系の説明図であって、自覚式測定系の視標の提示光路の説明図である。
【図７】図７は図３ないし図６に示すケラト板の平面図である。
【図８】図８は他覚測定の左眼の測定中に右眼の他覚測定の測定結果が表示されている状態を示す説明図である。
【図９】図９は自覚測定の左眼の測定中に他覚測定による両眼の測定結果と自覚検査による右眼の測定結果とが表示されている状態を示す説明図である。
【図１０】図１０は近用視力検査時の表示画面の一例を示す説明図である。
【図１１】図１１は遠用視力検査時の表示画面の一例を示す説明図である。
【図１２】図１２はコントラストテスト時の表示画面の一例を示す説明図である。
【図１３】図１３はグレアテスト時の表示画面の一例を示す説明図である。
【図１４】図１４は格子状視標提示時の表示画面の一例を示す説明図である。
【発明を実施するための形態】
【実施例】
【００１４】
（検眼装置の外観構成）
図１は本発明に係る検眼装置の全体構成を示す概略図である。この図１において、１は検眼装置を示す。検眼装置１は、ベース２と、このベース２に対して前後左右に移動可能な架台３と、この架台３と一体のヘッド部４と、ベース２と一体の顔受け部５とから概略構成されている。
【００１５】
顔受け部５には、顎受け６と額当て７とが設けられている。この顔受け部５により被検者（図示を略す）の顔が固定される。
その架台３には、ジョイスティック８が設けられ、ヘッド部４はこのジョイスティック８により被検者に対して前後左右に移動される。また、ヘッド部４は、ジョイスティック８をその軸に対して回転させることにより上下方向に移動される。
【００１６】
（検眼装置１のシステムの構成）
そのヘッド部４には、図２に示す処理部９、表示部１０としての液晶表示装置（ＬＣＤモニタ）が設けられている。その表示部１０はタッチパネル式の表示画面１０ａを有する。
【００１７】
処理部９には、図１、図２に示すように、眼鏡レンズ測定装置１１が接続され、被検者が装用する眼鏡レンズの測定データとしてのレンズ度数等が入力可能とされている。
【００１８】
（光学系の構成）
ヘッド部４には、図３ないし図６に示すように、被検眼Ｅの前眼部を観察する観察系１２と、被検眼Ｅに固視標を提示する固視標投影系１３と、被検眼の眼底Ｅｆに測定パターン（図示を略す）を投影しかつ被検眼Ｅの眼底Ｅｆに投影された測定パターンを受像する他覚式測定系１４と、被検眼Ｅに自覚式の視標を提示する自覚式測定系１５とが設けられている。ここでは、固視標投影系１３と自覚式測定系１５とは、その光学系を構成する光学素子が共用されている。
【００１９】
（観察系１２の構成）
観察系１２は、対物レンズ１２ａと、ダイクロイックフィルタ１２ｂと、ハーフミラー１２ｃと、リレーレンズ１２ｄと、ダイクロイックフィルタ１２ｅと、結像レンズ１２ｆと、撮像素子（ＣＣＤ）１２ｇとから概略構成されている。その撮像素子１２ｇの受光出力は、処理部９に入力される。これにより、前眼部像Ｅ’が表示部１０の表示画面１０ａに表示される。
【００２０】
対物レンズ１２ａの直前方には、図７に示す被検眼Ｅの角膜Ｃに角膜形状測定用リング状光束（図示を略す）を投影するケラト板１２ｈが設けられている。ケラト板１２ｈの後方には、図３ないし図６に示すように、被検眼Ｅに対して観察系１２の光軸方向のアライメントを行う一対のアライメント系１６が設けられている。
【００２１】
このアライメント系１６は、アライメント光源１６ａと、アライメント光源１６ａの光束を、被検眼Ｅの角膜Ｃに平行光束として投影する投影レンズ１６ｂとから概略構成されている。
【００２２】
観察系１２には、被検眼Ｅに対するヘッド部４の上下左右方向のアライメントを行うアライメント系１７が設けられている。このアライメント系１７は、アライメント光源１７ａと、このアライメント光源１７ａの光束を、被検眼Ｅの角膜Ｃに投影する投影レンズ１７ｂとから概略構成される。
【００２３】
その角膜Ｃに形成されたアライメント光源１７ａの輝点像を視認しつつジョイスティック８を用いてヘッド部４を上下左右に移動させることにより、被検眼Ｅに対するヘッド部４の上下左右方向（ＸＹ方向）のアライメントを行うことができる。図２の表示画面１０ａには、そのアライメントマークＡＬ、輝点像Ｂｒが示されている。
【００２４】
この実施例では、光軸方向のアライメントは、アライメント光源１７ａの輝点像Ｂｒのピントが合う位置に移動させることにより行っているが、アライメント光源１６ａの２個の輝点像の間隔とケラトリング像の径の比率が所定範囲にあるとき、自動的に測定を開始させてもよく、また、この比率からアライメントのずれ量を求めて、このアライメントのずれ量を表示画面１０ａに表示させても良い。また、ヘッド部（測定ヘッド）４をモータにより駆動可能として、アライメントのずれ量の情報を用いて自動的にアライメントする構成としても良い。
【００２５】
（固視標投影系１３、自覚式測定系１５の構成）
固視標投影系１３は、白色光を発生するＬＥＤ光源１３ａと、色補正フィルタ１３ｂと、コリメータレンズ１３ｂ’と、チャート板１３ｃと、ハーフミラー１３ｄ、リレーレンズ１３ｅ、反射ミラー１３ｆ、合焦レンズ１３ｇ、リレーレンズ１３ｈ、フィールドレンズ１３ｉ、バリアブルクロスシリンダレンズ（ＶＣＣ）１３ｊ、反射ミラー１３ｋ、ダイクロイックフィルタ１３ｍ、１２ｂ、対物レンズ１２ａから概略構成されている。なお、その自覚式測定系１５には、被検眼Ｅにグレア光を照射するグレア光源１３ｎが設けられている。
【００２６】
チャート板１３ｃには、被検眼Ｅに固視標を提示するための風景チャート（図示を略す）と、自覚測定の際の視力値を測定するために複数個の視標チャートとが形成されている。
他覚測定の場合には、その風景チャートが被検眼Ｅの眼底Ｅｆに投影され、被検者にその風景チャートを固視させてアライメントを行い、雲霧視状態で眼屈折力の測定が実行される。
【００２７】
他覚式測定系１４は、図４に示すように、被検眼Ｅの眼底Ｅｆにリング状の測定パターンを投影するリング状光束投影系１４Ａと、被検眼Ｅの眼底Ｅｆにおいて反射されたリング状の測定パターンを受像するリング状光束受光系１４Ｂとから概略構成されている。
【００２８】
そのリング状光束投影系１４Ａは、レフ測定ユニット部１４ａと、リレーレンズ１４ｂと、瞳リング１４ｃと、フィールドレンズ１４ｄと、穴開きプリズム１４ｅと、ロータリープリズム１４ｆと、ダイクロイックフィルタ１３ｍ、１２ｂと、対物レンズ１２ａとから概略構成されている。そのレフ測定ユニット部１４ａは、レフ測定用の光源（ＬＥＤ）１４ｈ、コリメータレンズ１４ｉ、円錐プリズム１４ｊ、リング状の測定パターンの形成板１４ｋから構成されている。
【００２９】
そのリング状光束受光系１４Ｂは、対物レンズ１２ａ、ダイクロイックフィルタ１２ｂ、ダイクロイックフィルタ１３ｍ、ロータリープリズム１４ｆ、穴開きプリズム１４ｅ、フィールドレンズ１４ｍ、反射ミラー１４ｎ、リレーレンズ１４ｐ、合焦レンズ１４ｑ、反射ミラー１４ｒ、ダイクロイックフィルタ１２ｅ、結像レンズ１２ｆ、撮像素子（ＣＣＤ）１２ｇから構成されている。
【００３０】
ＬＥＤ光源１３ａ、光源１４ｈ、グレア光源１３ｎ、アライメント光源１６ａ、１７ａ、ケラト盤１２ｈのケラトリング光源１２ｈ’、ユニット部１４ａ、合焦レンズ１３ｇ、１４ｑ、チャート板１３ｃ、バリアブルシリンダレンズ１３ｊ、表示部１０等は処理部９によって制御される。
【００３１】
（観察系１２、角膜形状測定の際の光路）
ダイクロイックフィルタ１２ｂは、角膜Ｃに投影された角膜形状測定用リング状光束、アライメント光源１６ａ、１７ａの光束を透過させる役割を有する。処理部９により、これらの光源が点灯されると、その点灯に応じて、撮像素子１２ｇに前眼部像Ｅ’、虚像（図示を略す）、輝点像Ｂｒが形成される。
【００３２】
（他覚測定の際の測定光路）
処理部９により、他覚測定モードが設定されると、光源１４ｈが点灯される。また、リング状光束投影系１４Ａのユニット部１４ａが光軸方向に可動されると共に、これに対応して、リング状光束受光系１４Ｂの合焦レンズ１４ｇが光軸方向に可動される。
【００３３】
そのリング状の測定パターンは、図４に示すように、リレーレンズ１４ｂ、瞳絞り１４ｃ、フィールドレンズ１４ｄ、穴開きミラー１４ｅの反射面１４ｅ’により反射され、ダイクロイックフィルタ１３ｍに導かれる。そして、このダイクロイックミラー１３ｍにより反射された後、ダイクロイックミラー１２ｂを経由して、対物レンズ１２ａに導かれ、被検眼Ｅの眼底Ｅｆにリング状光束が投影される。
【００３４】
その被検眼Ｅの眼底Ｅｆに形成されたリング状の測定パターンは、図５に示すように、対物レンズ１２ａにより集光され、ダイクロイックフィルタ１２ｂ、１３ｍ、ロータリープリズム１４ｆ、穴開きミラー１４ｅの穴部１４ｅ”、フィールドレンズ１４ｍ、反射ミラー１４ｎ、リレーレンズ１４ｐ、合焦レンズ１４ｑ、反射ミラー１４ｒ、ダイクロイックミラー１２ｅ、結像レンズ１２ｆを経由して撮像素子１２ｇに結像される。これにより、撮像素子１２ｇにリング状の測定パターンの像（図示を略す）が形成される。
【００３５】
（自覚測定の際の光路）
処理部９により、自覚測定が設定されると、図６に示すように、光源１３ａが点灯され、色補正フィルタ１３ｂを介してチャート板１３ｃが照明される。チャート板１３ｃには、後述する各種のチャートが設けられている。また、眼屈折力測定結果に応じた位置に合焦レンズ１３ｇがセットされる。また、同様に眼屈折力時に測定した被検眼の乱視を矯正するようにバリアブルシリンドリカルレンズ１３ｊがセットされる。
【００３６】
検者が提示すべき視標（チャート）を指示すると、その視標の光束が、ハーフミラー１３ｄ、リレーレンズ１３ｅ、反射ミラー１３ｆ、合焦レンズ１３ｇ、リレーレンズ１３ｈ、フィールドレンズ１３ｉ、バリアブルシリンドリカルレンズ１３ｊ、反射ミラー１３ｋ、ダイクロイックフィルタ１３ｍ、１２ｂ、対物レンズ１２ａを経由して被検眼Ｅの眼底Ｅｆに投影される。
【００３７】
被検者は、検者の質問に対してこの視標の見え方を応答し、検者はこの視標の見え方の有無により、処方値を確定する。
また、グレアテストを行いたい場合には、グレア光源１３ｎをオンさせた状態で、自覚測定を行う。
【００３８】
そのアライメント系、他覚式測定系１４、自覚式測定系１５の構成、ケラト系等の光学構成、眼屈折力（レフ）の測定原理、自覚測定の測定原理、角膜形状の測定原理等は既に公知であるので、その詳細な説明は省略する。
【００３９】
表示部１０の表示画面１０ａには、電源スイッチ（図示を略す）をオンすると、図８に示すように操作ボタンが表示される。ここでは、操作ボタンとして、他覚測定と自覚測定との切り替えを行う切り替えボタンＢ１、レフモードとケラトモードとの同時測定とレフモードとケラトモードとの切り替えを行う切り替えボタンＢ２と、白内障の眼の測定を行う際の操作ボタンＢ３と、固視標の輝度を調整する操作ボタンＢ４と、初回のみの雲霧視と測定のたびに毎回雲霧視との切り替えを行う切り替えボタンＢ５と、測定結果の詳細確認を行うための操作ボタンＢ６と、測定結果をプリントアウトするための操作ボタンＢ７と、角膜Ｃの直径を測定するための操作ボタンＢ８と、眼屈折力測定データをクリアするため操作ボタンＢ９と、オート・マニュアル切り替えボタンＢ１０とが表示される。
【００４０】
この他、表示画面１０ａには、右目の測定値であることを意味する符号「Ｒ」、左目の測定値であることを意味する符号「Ｌ」、患者ＩＤ、測定者ＩＤ等が表示される。
処理部９は、これらの操作ボタンＢ１〜Ｂ１０の操作により、その操作に対応する指示を実行する。
【００４１】
切り替えボタンＢ１を操作して、自覚測定モードに切り替えると、表示部１０の表示画面１０ａが、図９に示す画面に切り替わる。この表示部１ａには、視標の指定ボタン２１ａと格子状視標ボタン２１ｂとの間で視標の機能が切り替わる切り替えボタンＢ２１と、遠用測定と近用測定との間での検査の切り替えを行う切り替えボタンＢ２２と、グレア検査モードを指定する操作ボタンＢ２３と、コントラスト検査モードを指定する操作ボタンＢ２４と、測定結果を表示させる操作ボタンＢ２５と、測定結果をプリントアウトする操作ボタンＢ２６と、リセットボタンＢ２７と、被検者に提示するチャートの全体を示すと共に、現在提示しているチャートを示すチャート表Ｂ２８とが表示される。
この図９では、視力値「０.６３」の視標「Ｄ」が患者（被検者）に提示されている状
態が示されている。
【００４２】
また、この表示画面１０ａには、切り替えボタンＢ１により他覚測定から自覚測定に切り替えられたときに、視力値を直接指定する複数個の指定ボタンＢ３１〜Ｂ４０が表示されている。
【００４３】
指定ボタンＢ３１〜Ｂ４０のいずれか１つを操作すると、処理部９は自覚式測定系１５に指定ボタンＢ３１〜Ｂ４０により指定された視力値に対応する視標をセットすると共に指定ボタンＢ３１〜Ｂ４０により指定された視力表を表示画面１０ａに表示させる。ここでは、この指定ボタンＢ３１〜Ｂ４０により、図１０ないし図１３に示すように１行分の視力表Ｂ２６’が被検者に提示される。
例えば、図１０、図１１に示すように、指定ボタンＢ３９が操作されて、「１.０」が指定されると、視力値「１.０」に対応する１行分の視標「ＲＤＺＴ７」が自覚式測定系１５の光路にセットされると共に、その視力値「１.０」に対応する１行分の視標「ＲＤＺＴ７」が表示画面１０ａに表示される。
【００４４】
その表示画面１０ａには、指定ボタンＢ３１〜Ｂ４０の操作により表示画面１０ａに表示されている視力値を確定する確定ボタンＢ４２が設けられている。
検者は、視標を直接自覚式測定系１５の光路に設定できるので、例えば、視標を順送りするアップダウンボタンを設けてこのアップダウンボタンを操作することにより視標を１ステップずつ移動させて、視力値を設定するのに較べて効率的で便利である。
【００４５】
また、確定ボタンＢ４２を操作して、この指定ボタンＢ３１〜Ｂ４０により設定した視力値を確定登録しておけば、念のため、その指定した視力値に隣接する視力値を指定して被検者に見させて確認を行う場合でも、保存する視力値は変更前のものであるため、便利である。
例えば、指定ボタン３９を操作して視力値「１.０」に対応する視標「ＲＤＺＴ７」を指定した場合に、被検者が５つの文字のうち２つの文字についてあやふやな回答をした場合、念のため、隣接する視力値「０.８」、「１.２」に対応する視標を被検者に提示して確認を行いたい場合がある。このような場合、確定ボタンＢ４２を押さずに指定ボタンＢ３８を指定すると、視力値「１.０」から視力値「０.８」に視力値が変更され、指定ボタンＢ４０を指定すると視力値が「１.０」から「１.２」に変更されるが、確定ボタンＢ４２により視力値「１.０」を確定して登録しておくと、被検者が視力値「０.８」の視標「ＶＳＨＥ４」は良く見え、視力値「１.２」の視標「ＨＫＮＳ９」は良く見えない等の回答を行ったとき、再度、視力値「１.０」に対応する指定ボタンＢ３９を操作しなくとも測定を終了でき、便利である。
【００４６】
（処理部９による表示処理の詳細）
（他覚測定時）
処理部９は、他覚測定による一方の眼の測定を行ったときには、一方の眼の測定結果を表示画面１０ａに表示する表示ステップを実行する。
図８には、右眼の眼の測定を行った場合の測定結果としての屈折度数Ｓ、円柱度数Ｃ、円柱軸角度Ａの数値が破線Ｑ１で示すように表示されている。また、この実施例では、その平均値ＡＶも破線Ｑ２で示すように表示されている。
【００４７】
更に、この実施例では、右側の眼の角膜形状の測定（ケラト測定）を行ったときには、ケラトの測定結果としての屈折度数Ｒ１、Ｒ２、円柱軸Ａが破線Ｑ３で示すように表示される。
処理部９は、一方の眼の測定終了後の他方の眼の測定中に、ここでは、他覚測定による左眼Ｌの測定中には、右眼Ｒの測定結果が表示画面１０ａに表示する表示ステップを実行する。図８は、左眼の測定中に右眼の測定結果が表示された状態を示している。
このように、この実施例によれば、測定結果が順番に表示されることになっているので、測定のし忘れを防止できる。
【００４８】
（自覚測定時）
切り替えボタンＢ１を操作すると、図８に示す他覚測定時の画面から図９に示す自覚測定時の表示画面１０ａに画面が切り替えられる。
処理部９は、両眼の測定終了後自覚検査時の画面に切り替えられると、表示画面１０ａに他覚検査による両眼の測定結果を表示する表示ステップを実行する。
【００４９】
図９には、右眼Ｒの他覚測定の測定結果（破線Ｑ１参照）と左眼の測定結果（破線Ｑ１’参照）とが表示されている。
この実施例では、処理部９は、自覚測定の際に眼鏡レンズの度数を他覚測定による測定結果と共に表示させる処理を実行する。図９には、眼鏡レンズの測定データが破線Ｑ４で示すように表示されている。
【００５０】
処理部９は、自覚測定による一方の眼の測定を行ったときに、一方の眼の測定結果を表示画面に表示する表示ステップと、一方の眼の測定終了後他方の眼の測定中には、一方の眼の測定結果を表示画面１０ａに表示する表示ステップと、両眼の測定終了後に表示画面１０ａに自覚検査による両眼の測定結果を表示する表示ステップとを実行する。
【００５１】
その図９には、両眼の他覚検査の測定結果（破線Ｑ１’、Ｑ１）と、自覚検査時の右眼の測定結果（破線Ｑ５参照）とが表示画面１０ａに表示されている。すなわち、右眼の測定時には、自覚視標投影系にセットされている視標チャートに対応する度数Ｓ、Ｃ、軸角度Ａが他覚測定時の両眼の測定結果と同時に表示され、左眼の測定時には、その右眼の測定結果が他覚測定時の両眼の測定結果と同時に表示される。
【００５２】
（その他の処理部９の処理の一例）
自覚測定時に、視力値を指定する複数個の指定ボタンＢ３１〜Ｂ４０のいずれかを操作すると、処理部９は自覚式測定系１５にこの指定ボタンＢ３１〜Ｂ４０により指定された視力値に対応する視標をセットすると共に、この指定ボタンＢ３１〜Ｂ４０により指定された視力値を表示画面１０ａに表示させる処理を行う。
【００５３】
この指定ボタンＢ３１〜Ｂ４０を操作すると、図１０ないし図１３に示すように、１行分の視標が提示される。この１行分の視標の提示は、例えば、近用検査、遠用検査、コントラストテスト、グレアテストの検査を行うときに用いられるが、これに限られない。これらの詳細な説明は、本発明と直接には関係しないので、省略する。
【００５４】
切り替えボタンＢ２１を操作して、視標提示ボタン２１ａから視標提示ボタン２１ｂに切り替えると、表示画面１０ａには、図１４に示すように、中央に注視点Ｘ１を有しかつ被検眼に縦線Ｘ２と横線Ｘ３とにより構成された格子状視標Ｘ４が表示される。また、処理部９は自覚式測定系１５に格子状視標（いわゆるアムスラーチャートという）をセットする処理を実行する。
【００５５】
この格子状視標を明視距離にセットして、患者に提示した場合、中央部分が歪んで見えることがある。このように格子状視標が歪んで見えた場合には、眼底Ｅｆに何らかの異常があると考えられ、眼底検査等の一助に供することができる。
【００５６】
また、この実施例によれば、検眼装置１に格子状視標を組み込んで、患者に提示する構成であるので、格子状視標による検査の客観性を担保することができる。
【００５７】
これらの実施例によれば、表示画面１０ａに両眼の測定結果が順に表示されるため、一見して煩雑さが増加するように見えるが、他覚検査、自覚検査の両眼の測定結果を画面上で一度に把握できるので、検者が必要に応じて被検者に画面を見させつつ説明する際にも便利である。
【符号の説明】
【００５８】
９…処理部
１０…表示部
１０ａ…表示画面
１２…観察系
１３…固視標投影系
１４…他覚式投影系
１５…自覚式測定系
Ｅｆ…眼底
【図１】
2018064949.tif 000003
【図２】
2018064949.tif 000004
【図３】
2018064949.tif 000005
【図４】
2018064949.tif 000006
【図５】
2018064949.tif 000007
【図６】
2018064949.tif 000008
【図７】
2018064949.tif 000009
【図８】
2018064949.tif 000010
【図９】
2018064949.tif 000011
【図１０】
2018064949.tif 000012
【図１１】
2018064949.tif 000013
【図１２】
2018064949.tif 000014
【図１３】
2018064949.tif 000015
【図１４】
2018064949.tif 000016